(57)【要約】【課題】高輝度な配列型映像表示装置においては、暗い映像のなだらかな階調変化部分で階調間の変化がマッハバンド様に感じられることがあり、より微細な階調制御が求められていた。【解決手段】表示ユニットを複数配列して表示面を構成した映像表示装置において、各表示ユニットは、映像表示部２、該映像表示部２を駆動する駆動回路３、及び該駆動回路３を制御する制御回路４を備え、制御回路４は、外部からの輝度制御信号と映像データの最大値に基づいて輝度制御と階調制御を協調して制御するものであって、個別の上記表示ユニット毎に別々の輝度制御とそれに応じた映像データに対する演算を行い、演算結果による階調制御を行うようにした。【選択図】図１
2011253101.tif 000002
【特許請求の範囲】
【請求項１】
表示ユニットを複数配列して表示面を構成した映像表示装置において、各表示ユニットは、映像表示部、該映像表示部を駆動する駆動回路、及び該駆動回路を制御する制御回路を備え、上記制御回路は、外部からの輝度制御信号と映像データの最大値に基づいて輝度制御と階調制御を協調して制御するものであって、個別の上記表示ユニット毎に別々の輝度制御とそれに応じた映像データに対する演算を行い、演算結果による階調制御を行うようにしたことを特徴とする映像表示装置。
【請求項２】
表示ユニットを複数配列して表示面を構成した映像表示装置において、各表示ユニットは、複数の領域からなる映像表示部、上記各領域を駆動する複数の駆動回路、及び該駆動回路を制御する制御回路を備え、上記制御回路は、外部からの輝度制御信号と上記領域毎の映像データの最大値に基づいて、上記各領域の輝度制御と階調制御を協調して制御するものであって、個別の上記表示ユニットの個別の上記領域毎に別々の輝度レベル制御と個別領域毎の輝度レベルに応じた映像データに対する演算を行い、演算結果による階調制御を行うようにしたことを特徴とする映像表示装置。
【請求項３】
表示ユニットを複数配列して表示面を構成した映像表示装置において、各表示ユニットは、複数の素子からなる映像表示部、上記各素子を駆動する駆動回路、及び該駆動回路を制御する制御回路を備え、上記制御回路は、外部からの輝度制御信号と上記素子毎の映像データの値に基づいて、上記各素子の輝度制御と階調制御を協調して制御するものであって、個別の上記表示ユニットの画素毎に別々の輝度制御とそれに応じた映像データに対する演算を行い、演算結果による階調制御を行うようにしたことを特徴とする映像表示装置。
【発明の詳細な説明】
【技術分野】
【０００１】
この発明は、映像表示装置に係り、特に多数の発光素子を配列して構成された表示ユニットを多数並べて、映像表示面を構成する平面型映像表示装置の階調表現に関するものである。
【背景技術】
【０００２】
多数の発光素子を配列して映像表示面を構成する映像表示装置（配列型映像表示装置）の中で、屋外や屋内でも大型のもの例えば表示面が１０ｍ×５ｍなどメートルサイズを超えるものは、メンテナンスや組立の関係から、０．５ｍ角程度のサイズの表示ユニットを多数並べることで映像表示画面を構成していることが多い。この構成を採用することで、様々なサイズ(表示ドットサイズ)の映像表示面を構成できる柔軟性を備えている。
【０００３】
これらの映像表示装置は最高輝度が５０００cd/ｍ２などと高輝度であるため、表示階調が例えば１０bit＝１０２４階調のリニア階調であった場合でも、１階調ステップが約５cd/ｍ２と大きな値となり、暗い映像部分でのなだらかな階調変化部分においては、階調の変化が階段状に感じられてしまう場合があるため、より微細な階調制御が求められていた。その場合、単純に制御階調数を増やすと、制御回路の複雑化、高コスト化を招く。
【０００４】
また、屋外や屋内でも設置条件の異なる場所に設置されるため、要求される輝度範囲が大きいという特徴がある。夜間は、昼間の１/１０程度の輝度でも十分に明るく感じられる。屋内では外光の入り込む部分に設置された場合と、入り込まない部分に設置された場合とでは、要求される最高輝度が異なる。そのため、階調制御とは独立して制御される最高輝度の調整機構を備えていることが一般的である。
【０００５】
『階調制御と独立した輝度制御』とは、各輝度レベル設定において、階調制御の階調数が変化しないことを示す。最高輝度設定で２５６段階の階調制御数を持つならば、その半分の輝度設定においても、同様に２５６段階の階調制御数を持つ表示装置である。
なお、必ずしも最低輝度設定まで同一の階調制御数を持つ必要は無く、回路規模や制御の関係から、ある低輝度域からは階調数が減少する表示装置においても、階調制御数が減少しない範囲では、本発明は適用可能である。
【０００６】
特許文献１においては、低階調域において良好な階調表現を実現する手法について述べているが、これは一つの表示ユニット内での階調表現の改善方法である。特許文献２においては、ＬＥＤディスプレイパネルの各ドットに対応して個々に出力レベルを調節する輝度補正手段について触れられているが、暗い映像部分での階調表現能力の改善などには触れていない。
【先行技術文献】
【特許文献】
【０００７】
【特許文献１】特開２００４−２５２２８９号公報
【特許文献２】特許２００１−１３４２３４号公報
【発明の概要】
【発明が解決しようとする課題】
【０００８】
従来の表示制御では、輝度の制御と階調の制御を独立して行っていた。各輝度レベルにおいて、同じ制御階調数を持っており、前述のようにステップ状に感じられる階調変化を抑制するため、全ての輝度レベルに対して、制御階調数を増やしていたため、回路規模の増大や動作速度の高速化が必要であった。
【０００９】
この発明は上記のような課題を解決するためになされたものであり、階調制御と輝度制御を連動させて制御することで、一定の輝度レベルで階調を制御した場合よりも、回路規模の増大や動作速度の高速化によらず、低階調（暗部）領域での階調表現の細分化を可能とする。
【課題を解決するための手段】
【００１０】
この発明の請求項１に係る映像表示装置は、表示ユニットを複数配列して表示面を構成した映像表示装置において、各表示ユニットは、映像表示部、該映像表示部を駆動する駆動回路、及び該駆動回路を制御する制御回路を備え、上記制御回路は、外部からの輝度制御信号と映像データの最大値に基づいて輝度制御と階調制御を協調して制御するものであって、個別の上記表示ユニット毎に別々の輝度制御とそれに応じた映像データに対する演算を行い、演算結果による階調制御を行うようにしたものである。
【００１１】
また、この発明の請求項２に係る映像表示装置は、表示ユニットを複数配列して表示面を構成した映像表示装置において、各表示ユニットは、複数の領域からなる映像表示部、上記各領域を駆動する複数の駆動回路、及び該駆動回路を制御する制御回路を備え、上記制御回路は、外部からの輝度制御信号と上記領域毎の映像データの最大値に基づいて、上記各領域の輝度制御と階調制御を協調して制御するものであって、個別の上記表示ユニットの個別の上記領域毎に別々の輝度レベル制御と個別領域毎の輝度レベルに応じた映像データに対する演算を行い、演算結果による階調制御を行うようにしたものである。
【００１２】
また、この発明の請求項３に係る映像表示装置は、表示ユニットを複数配列して表示面を構成した映像表示装置において、各表示ユニットは、複数の素子からなる映像表示部、上記各素子を駆動する駆動回路、及び該駆動回路を制御する制御回路を備え、上記制御回路は、外部からの輝度制御信号と上記素子毎の映像データの値に基づいて、上記各素子の輝度制御と階調制御を協調して制御するものであって、個別の上記表示ユニットの画素毎に別々の輝度制御とそれに応じた映像データに対する演算を行い、演算結果による階調制御を行うようにしたものである。
【発明の効果】
【００１３】
この発明によれば、映像表示装置を構成する表示ユニットを、階調制御と輝度制御を協調制御して、輝度に応じて外部からの映像データを２倍や４倍など演算してから、変換するように構成したため、表示ユニットの制御を高速化することなく、映像表示装置の全体としては暗部の階調表現を微細化できる。
【図面の簡単な説明】
【００１４】
【図１】この発明の実施の形態１における表示ユニットの構成を示す図である。
【図２】映像データが３２段階、表示ユニットの階調制御が8段階、最大輝度100(輝度レベル６４)である場合の輝度レベル６４での表示輝度と映像データの関係を表す図である。
【図３】映像データが３２段階、表示ユニットの階調制御が8段階、最大輝度100(輝度レベル６４)である場合の輝度レベル３２での表示輝度と映像データの関係を表す図である。
【図４】実施の形態１における映像データと輝度レベルの協調制御を行い、映像データを２倍としてから変換した場合の輝度レベル３２での表示輝度と映像データの関係を表す図である。
【図５】実施の形態１における映像データと輝度レベルの協調制御を行い、映像データを２倍としてから変換した場合の輝度レベル３２の表示ユニットと輝度レベル６４の表示ユニットでの表示輝度と映像データの関係を重ね合わせて表す図である
【図６】実施の形態２における表示ユニットの構成を示す図である。
【図７】実施の形態５における表示ユニットの構成を示す図である。
【発明を実施するための形態】
【００１５】
実施の形態１．
この発明に係る映像表示装置は、多数の発光素子を配列して構成された表示ユニットを多数並べて、映像表示面を構成するものであるが、図１は、その表示ユニットを機能的に示すブロック図である。表示ユニット１は、映像表示部２、それを駆動する駆動回路３、及び制御回路４で構成される。制御回路４は、外部からの映像データ８に基づき階調を制御する階調制御部５を有していて、階調制御部５は映像データ８の最高値判定回路を含み、等倍または２倍または４倍にデータをシフトしてから階調制御をする機能を持つ。また、制御回路４は、階調制御部５からの輝度モード信号と外部からの輝度レベル７に基づき駆動回路３の輝度制御を行う輝度制御部６を有する。
【００１６】
このように構成された表示ユニット１においては、制御装置４を通して、外部からの映像データ８と輝度レベル７のそれぞれに応じた制御を、駆動回路３に対して行い、駆動回路３はそれに応じて映像表示部２を駆動する。映像データ８の最大値に応じて、表示ユニット１内部の輝度レベルは外部の輝度レベル７の１/２や１/４に変更し、それを補償するように、当該表示ユニット１の内部では、映像データ８は２倍または４倍とする。通常時は1倍とする。
【００１７】
異なった輝度値で駆動される表示ユニット１を複数配列して構成された映像表示装置では、映像表示全体として見れば、１/２や１/４に微細化された暗部表現を備える。外部からは輝度レベルの値が２の倍数や４の倍数でのみ設定すること以外の制限がなく、表示ユニット１の高速化などで階調表現の微細化を図ることなく、画質に大きな影響を与える暗部でのなだらかな階調変化部分での階調表現を微細化できる効果がある。また通常備えている輝度調整機構と階調制御機構を連動させる機能に加えて、２進のデジタル回路ではシフト演算として容易に実装可能な２倍と４倍の乗算器を組み込むだけであり、回路規模が大きく増えることなく実現できる。
【００１８】
上記構成の表示ユニット１は次のような動作を行う。例えば、内部の制御階調数は２５６、つまり０、１、２、３〜２５５である表示ユニット１を考える。外部から映像の映像データ階調数は０〜１０２３までの１０２４階調＝１０bit階調とする。
輝度制御は１〜６３の６４段階とする。
この場合、従来は
映像データ    ０〜３⇒  制御階調０
映像データ    ４〜７⇒  制御階調1
映像データ    １０１６〜１０１９⇒  制御階調２５４
映像データ    １０２０〜１０２３⇒  制御階調２５５
としていた。
ここで、輝度レベル６４の時に、最大輝度が１２８０cd/ｍ２であるとする。つまり、輝度レベル６４、階調２５５時で１２８０cd/ｍ２となる。表示ユニット１のうち、暗い部分の映像しかない、つまり、映像データが５１１以下しかない表示ユニット１に対しては、輝度レベルを３２とする。その代わりに映像データと制御階調の変換は、映像データを２倍してから変換して表示する。５１１までしかないため、２倍してもオーバーフローは発生しない。これにより、周囲の輝度レベル６４の表示ユニット１の表示に比べて輝度が半減してしまうことを補償する。
【００１９】
変換は以下のようになる。
映像データ    ０〜１⇒  制御階調０
映像データ    ２〜３⇒  制御階調1
映像データ    ４〜５⇒  制御階調２
・
・
映像データ    ５１０〜５１１⇒  制御階調２５５
映像データ    ５１２〜１０２３⇒  制御階調２５５（仮の定義）
【００２０】
輝度レベル６４の表示ユニット１は、輝度１２８０cd/ｍ２を、０から２５５の２５６段階に等分割しているため、１段階は約５．０２cd/ｍ２となる。輝度レベル３２で、映像データを倍にしてから変換している表示ユニット１は、
１２８０cd/ｍ２×３２/６４＝６４０cd/ｍ２を０から２５５の２５６段階に分割しているため、１段階は約２．５１cd/ｍ２となる。この輝度レベル６４の表示ユニット１と輝度レベル３２の表示ユニット１を並べて表示させることで、スクリーン全体で輝度６４一定で映像表示をしている場合に比べて、暗い部分のなだらかな映像部分、０〜５１１までしか含まない映像部分を表示する表示ユニット１では、明るい部分の半分の段階で映像を表現するため、階調表現が微細化することになる。さらに、２５５以下の映像データしかない表示ユニット１では、輝度１６として映像データを４倍してから変換する。この場合、さらに１段階当りの輝度変化は半分の１．２５cd/ｍ２となり、より階調表現が微細化する。
【００２１】
デジタル回路の場合、２倍や４倍の演算はビットをシフトするだけのため、要する回路規模は小さい。輝度レベルは、モードが異なる表示ユニット間の輝度差がないことを重視する場合には、データ２倍モードならば２の倍数のみ、データ４倍モードも使用するならば、４の倍数のみに限るように制限する。４未満の輝度レベルは不可とする。モードが異なる表示ユニット間の輝度差よりも、暗部表現を重視するならば、１/２や１/４の輝度レベルは、切り捨てで運用すればよい。
【００２２】
なお、表示ユニット１内の回路規模が増大するが、映像データに輝度制御と同じ、またはそれ以上のビット幅の任意数を乗算できる回路を設けることにより、常に最大階調数での制御が可能となる。例えば、輝度６bit＝６４階調、映像データ１０２４階調で最高輝度１２８０cd/ｍ２である場合を考える。輝度レベル６４において、ある表示ユニットで表示する映像データが７６７以下しかなかった場合には、１０２３/７６７＝１．３３４であるため、輝度レベル６４/１．３３４＝４８として、映像データには逆に１．３３４倍を行う。
【００２３】
輝度レベル６４では、映像データ７６７は、
１２８０*７６７/１０２３＝９５９．７cd/ｍ２、輝度レベル４８では、
映像データ１０２３＝７６７*１．３４は、
１２８０*４８/６４＝９６０cd/ｍ２となり、ほぼ同一の値となる。
差の０．３cd/ｍ２は、輝度レベル６４での１段階当りの輝度値は、約５．０２cd/ｍ２に比べれば、十分に低いため影響は少ない。１段階当りの階調の輝度差は、１２８０/２５５＝５．０２cd/ｍ２から
１２８０*４８/６４/２５５＝３．７６cd/ｍ２となり、３．７６/５．０１＝７４．９％に微細化される効果がある。連続値ではないため、効果は限定されるものの、マッハバンド様の妨害が減少する効果がある。
【００２４】
人間の視覚特性上、近接していない画素間の輝度差は判別が出来ない特性、また明るい画素に近接している暗い画素はマスクされてしまうため、暗い画素が黒沈みや黒浮きをしていても判別し辛い特性がある。逆に暗い映像のなだらかな変化をしている部分では、判別できる輝度差が小さくなり、階調間の境界にマッハバンド様の妨害が見えやすくなるため、暗い部分に対する階調表現を微細化できる本発明の効果は大きい。
【００２５】
図２は映像データが０〜３１の３２段階、表示ユニットの階調制御が８段階、最大輝度１００(輝度レベル６４)である場合の輝度レベル６４での表示輝度と映像データの関係を表す図である。図３は映像データが０〜３１の３２段階、表示ユニットの階調制御が８段階、最大輝度１００(輝度レベル６４)である場合の輝度レベル３２での表示輝度と映像データの関係を表す図である。
【００２６】
図４は実施の形態１における映像データと輝度レベルの協調制御を行い、映像データを２倍としてから変換した場合の輝度レベル３２での表示輝度と映像データの関係を表す図である。簡単のため、映像データは０〜３１の３２段階、表示階調は０〜７の８段階としている。図５は実施の形態１における映像データと輝度レベルの協調制御を行い、映像データを２倍としてから変換した場合の輝度レベル３２の表示ユニットと輝度レベル６４の表示ユニットでの表示輝度と映像データの関係を重ね合わせて表す図である。簡単のため、映像データは０〜３１の３２段階、表示階調は０〜７の８段階としている。明るいデータを含む表示ユニットでは従来通りの階調表現だが、暗いデータのみの表示ユニットでは、半分の段階で表現できている。
【００２７】
実施の形態２．
実施の形態２に係る映像表示装置の表示ユニット１は、図６に示すように、映像表示部２が複数の領域（図では４領域）２Ａ〜２Ｄからなるものであり、これら領域２Ａ〜２Ｄのそれぞれを駆動する駆動回路３Ａ〜３Ｄが設けられている。駆動回路３Ａ〜３Ｄは制御回路４で制御される。制御回路４は、外部からの映像データ８に基づき階調を制御する階調制御部５を有していて、階調制御部５は、上記複数の領域毎の映像データの最高値判定回路を含み、各々の領域毎に等倍または２倍または４倍にデータをシフトしてから階調制御をする機能を持つ。また、制御回路４は、階調制御部５からの輝度モード信号と外部からの輝度レベル７に基づき領域毎に異なる輝度制御を行う輝度制御部６を有する。
【００２８】
このように構成された表示ユニット１においては、外部からの映像データ８と輝度レベル７のそれぞれに応じた制御を、駆動回路３Ａ〜３Ｄに対して行い、駆動回路３Ａ〜３Ｄはそれに応じて映像表示部２の各領域２Ａ〜２Ｄを駆動する。表示ユニット１内の駆動回路３Ａ〜３Ｄは、複数の領域毎の映像データの最大値に応じて、その領域の輝度レベルを外部輝度レベル７の１/２や１/４に変更し、異なった輝度レベルでの制御が可能とする。
【００２９】
異なった輝度値で駆動される複数の領域２Ａ〜２Ｄを持った表示ユニット１を配列して構成された映像表示装置では、表示ユニット単体で１/２や１/４に微細化された暗部表現を持つ。外部から輝度レベル７の値が２の倍数や４の倍数でのみ設定すること以外の制限がなく、表示ユニット１の内部回路の高速化などで階調表現の微細化を図ることなく、画質に大きな影響を与える暗部でのなだらかな階調変化部分での階調表現を微細化できる効果がある。実施の形態１に比べて、表示ユニット１を分割した領域毎に輝度変更が出来る機構を組み込む必要があるが、同一の表示ユニット１内でも暗部での階調表現を微細化できる効果がある。
【００３０】
変換の動作は実施の形態１と同じである。
【００３１】
実施の形態３．
実施の形態３に係る映像表示装置の表示ユニット１は、図１のように、映像表示部２と駆動回路３と制御回路４とで構成される。制御回路４は、外部からの映像データ８に基づき階調を制御する階調制御部５を有していて、階調制御部５は映像データの最高値判定回路を含み、最高値/制御階調数＝Ｍとして、任意の倍率であるＭを映像データ８に乗算してから階調制御をする機能を持つ。階調制御部５からの任意の倍率の逆数に基づく輝度モード信号と外部からの輝度レベル７に基づき、輝度レベルを１/Ｍにして駆動回路３の輝度制御を行う輝度制御部６を有する。
【００３２】
このように構成された表示ユニット１においては、外部からの映像データ８と輝度レベル７のそれぞれに応じた制御を、駆動回路３に対して行い、駆動回路３はそれに応じて映像表示部２を駆動する。表示ユニット毎に入力される映像データ８の最大値に応じて、映像データの最大値/階調数の輝度レベルに変更し、それを補填するように映像データは、階調数/映像データの最大値の係数を乗じて、階調を制御する。
【００３３】
これらの異なった輝度値で駆動される表示ユニット１を配列して構成された映像表示装置では、映像表示全体として見れば、映像データに依存するが、１/最大輝度レベルに微細化された暗部表現を持つ。
【００３４】
従って、表示ユニット１の回路の高速化などで階調表現の微細化を図ることなく、画質に大きな影響を与える暗部でのなだらかな階調変化部分での階調表現を微細化できる効果がある。任意の数を映像データに乗算する回路を追加する必要があるが、常に最大階調での階調制御が可能となる効果がある。
【００３５】
変換の動作は実施の形態１と同じである。
【００３６】
実施の形態４．
実施の形態４に係る映像表示装置の表示ユニット１は、複数の画素からなる映像表示部２とそれを駆動する駆動回路３と制御回路４とで構成される。制御回路４は、外部からの映像データ８に基づき階調を制御する階調制御部５を有していて、階調制御部５は、画素毎の映像データ値から、画素毎に等倍または２倍または４倍にデータをシフトしてから階調制御をする機能を持つ。また、制御回路４は、階調制御部５からの画素毎の輝度モード信号と外部からの輝度レベル７に基づき領域毎に異なる輝度制御を行う輝度制御部６を有する。
【００３７】
このように構成された表示ユニット１においては、外部からの映像データ８と輝度レベル７のそれぞれに応じた制御を、駆動回路３に対して行い、駆動回路３はそれに応じて映像表示部２を駆動する。表示ユニット内の駆動回路３は、表示ユニット１の画素毎の映像データの値に応じて、その画素の輝度レベルを外部輝度レベル７の１/２や１/４に変更し、異なった輝度レベルでの制御が可能とする。
【００３８】
異なった輝度値で駆動される画素からなる表示ユニット１を配列して構成された映像表示装置では、表示ユニット単体で１/２や１/４に微細化された暗部表現を持つ。外部から輝度レベルの値が２の倍数や４の倍数でのみ設定すること以外の制限が無く、表示ユニット１の内部回路の高速化などで階調表現の微細化を図ることなく、画質に大きな影響を与える暗部でのなだらかな階調変化部分での階調表現を微細化できる効果がある。
【００３９】
画素単位で輝度値の異なる制御を行うため、明るい画素に隣接している画素でも微細化された階調制御が可能となる。
【００４０】
変換の動作は、実施の形態１と同じである。
【００４１】
実施の形態５．
実施の形態５に係る映像表示装置の表示ユニット１は、図７に示すように、映像表示部２と駆動回路３と制御回路４とで構成される。制御回路４は、外部からの映像データ８に基づき階調を制御する階調制御部５を有していて、階調制御部５は、外部からの輝度モード制御信号９に基づき、等倍または２倍または４倍にデータをシフトしてから階調制御をする機能を持つ。また、制御回路４は、外部からの輝度モード信号と外部からの輝度レベルに基づき駆動回路の輝度制御を行う輝度制御部６を有する。外部の輝度モード制御信号９は、外部にある表示ユニット毎の映像データ最大値検出回路１０からの信号に基づき、表示ユニット毎の１/１、or１/２、or１/４の輝度モード設定信号を生成する。
【００４２】
このように構成された表示ユニット１においては、外部からの映像データ８と輝度レベル７、及び輝度モード制御信号９による１/２輝度モード、１/４輝度モードの切り替え信号に応じた制御を、駆動回路３に対して行い、駆動回路３はそれに応じて映像表示部２を駆動する。外部からの輝度モード制御信号に応じて、表示ユニット１内部の輝度レベルは外部の輝度レベル７の１/２や１/４に変更され、それを補償するように、当該表示ユニットの内部では、映像データを２倍や４倍とする。
【００４３】
異なった輝度値で駆動される表示ユニット１を配列して構成された映像表示装置では、映像表示全体として見れば、１/２や１/４に微細化された暗部表現を持つ。外部からは輝度レベル７の値が２の倍数や４の倍数でのみ設定すること以外の制限がなく、表示ユニットの高速化などで階調表現の微細化を図ることなく、画質に大きな影響を与える暗部でのなだらかな階調変化部分での階調表現を微細化できる効果がある。
【００４４】
また、通常備えている輝度調整機構と階調制御機構を連動させる機能に加えて、２進のデジタル回路ではシフト演算として容易に実装可能な２倍と４倍の乗算器を組み込むだけであり、回路規模が大きく増えることなく実現できる。また、表示ユニット内部で、映像データの最大値を判別する必要がないため、映像データをバッファリングすることなく、順次に処理できる効果がある。
【００４５】
実施の形態１では、表示ユニット内部で映像データの最大値を判定する必要があるため、当該表示ユニットで表示する全映像データを蓄積してから判定する必要があり、映像の遅延が起きる。外部で映像を生成する映像コントローラにおいては、通常さまざまな映像処理を行う関係から、１フレーム以上のフレームバッファを備えているため、上記映像データ最大値判定回路を組み込むことによる遅延量の増加は避けられる。
【００４６】
実施の形態３の任意倍率と、実施の形態４、５のそれぞれを組み合わせた形態も当然ながらありうる。
【００４７】
変換の動作は、実施の形態１と同じである。
【符号の説明】
【００４８】
１  表示ユニット、
２  映像表示部、
２Ａ〜２Ｄ  映像表示部領域、
３  駆動回路、
３Ａ〜３Ｄ  駆動回路、
４  制御回路、
５  階調制御部、
６  輝度制御部、
７  輝度レベル、
８  映像データ、
９  輝度モード制御信号、
１０  最大値検出信号。
【図１】
2011253101.tif 000003
【図２】
2011253101.tif 000004
【図３】
2011253101.tif 000005
【図４】
2011253101.tif 000006
【図５】
2011253101.tif 000007
【図６】
2011253101.tif 000008
【図７】
2011253101.tif 000009